(57)【要約】【課題】通話が望まれない公共の場所における移動端末での通話を極力制限しつつも、急を要する場合を考慮して必要最小限の情報伝達を可能とする移動端末を提供する。【解決手段】着信があっても着信音を鳴らさないようにするマナーモードの設定が行われている状態で移動端末２から着信があって通話を開始する場合、移動端末４は、管理装置５Ａにマナーモードが設定された状態で通話を開始する旨の情報を送り、管理装置５Ａは移動端末４から当該情報を受け取ることで、通話可能時間をカウントし、その時間を経過した時点で強制的に移動端末２と移動端末４との通信を切断する。【選択図】  図１
2004221654.tif 000002
【特許請求の範囲】
【請求項１】
発信側端末からの着信があっても着信音を鳴らさないマナーモードを設定可能な移動端末であって、
前記マナーモードに設定されている状態で前記着信に応答した場合に、前記応答開始時から予め定められた時間を経過した時点で、前記発信側端末との通信を切断する通信制御手段を備える移動端末。
【請求項２】
請求項１記載の移動端末であって、
前記時間を示す時間情報を記憶する記憶部を備え、
前記通信制御手段は、前記記憶部に記憶されている前記時間情報に基づいて、前記通信を切断する移動端末。
【請求項３】
請求項１記載の移動端末であって、
前記時間を示す時間情報を任意に設定可能とし、
前記通信制御手段は、前記設定された時間情報に基づいて、前記通信を切断する移動端末。
【請求項４】
請求項１〜３のいずれか記載の移動端末であって、
前記通信制御手段が前記通信を切断する時点より所定時間前の時点で、前記移動端末のユーザに対して、前記通信を切断する旨の通知を行う通知手段を備える移動端末。
【請求項５】
発信側端末からの着信があっても着信音を鳴らさないマナーモードを設定可能な移動端末であって、
前記マナーモードに設定されている状態で前記着信に応答すると同時に、前記マナーモード設定状態で着信に応答したことを示す情報を、前記移動端末と前記発信側端末との通信を管理する管理装置に対して送信する情報送信手段を備え、
前記情報は、前記管理装置が、前記移動端末と前記発信側端末との通信を前記応答開始時点から予め定められた時間経過後に切断するためのトリガとなるものである移動端末。
【請求項６】
移動端末と前記移動端末に対して発信する発信側端末との間の通信を管理する管理装置であって、
前記移動端末が前記発信側端末からの着信があっても着信音を鳴らさないマナーモードに設定された状態で前記着信に応答すると同時に、前記移動端末から送信されてくる前記着信に応答したことを示す情報を受信する受信手段と、
前記受信手段で前記情報を受信してから、前記情報の送信元の移動端末に対応付けられている前記発信側端末との通信可能な時間が経過した時点で、前記移動端末と前記発信側端末との通信を切断する通信制御手段とを備える管理装置。
【請求項７】
請求項６記載の管理装置であって、
前記通信制御手段が、前記通信を切断する時点より所定時間前の時点で、前記移動端末又は前記発信側端末の少なくとも一方に対して、前記通信を切断する旨の通知を行う情報通知手段を備える管理装置。
【請求項８】
移動端末と前記移動端末に対して発信する発信側端末との間の通信を管理する管理装置であって、
前記移動端末から、前記発信側端末からの着信があっても着信音を鳴らさないマナーモードが設定された状態であることを示す情報を受信する受信手段と、
前記受信手段で受信した情報を記憶する記憶手段と、
前記記憶手段で記憶した情報の送信元の移動端末に対する前記発信側端末からの発信を検知する検知手段と、
前記検知手段により前記発信を検知してから、前記発信側端末と前記情報の送信元の移動端末との通信が確立されるまでの間に、前記発信側端末のユーザに対して、前記発信先の移動端末が前記マナーモードに設定されている旨の通知を行う管理装置。
【請求項９】
請求項１〜５のいずれか記載の移動端末を所有するユーザに対し、前記予め定められた時間に応じたサービスを提供するサービス提供方法。
【請求項１０】
請求項６又は７記載の管理装置によって前記通信を管理される移動端末を所有するユーザに対し、前記移動端末に対応付けられた時間に応じたサービスを提供するサービス提供方法。
【発明の詳細な説明】
【０００１】
【発明が属する技術分野】
本発明は、携帯電話やＰＨＳ（Ｐｅｒｓｏｎａｌ  Ｈａｎｄｙ−Ｐｈｏｎｅ  Ｓｙｓｔｅｍ）等の移動端末、及び該移動端末と該移動端末に対して発信する発信側端末との間の通信を管理する管理装置に関する。
【０００２】
【従来の技術】
従来から、電車や病院等の公共性の高い場所での携帯電話やＰＨＳ等の移動端末の使用が社会問題となっている。最近では、各人のマナー意識もある程度向上したこともあり、周囲に迷惑を与えるような場所では多くのユーザが自主的にマナーモードを設定（着信音オフ、バイブレータ着信）するようになってきている。このため、着信音による迷惑行為は減ってきている。
【０００３】
また、通話の問題に対しては、劇場や映画館或いは乗り物等のエリアを限定して移動端末の機能を規制する規制情報を送信する規制装置を設けることで、発着信等を規制する技術も確立されている（例えば特許文献１参照）。
【０００４】
【特許文献１】
特開平１１−４４７８号公報
【０００５】
【発明が解決しようとする課題】
しかしながら、従来の移動端末においては、マナーモードに設定にしていても、その移動端末への着信に気付くと、ユーザは通話を始めてしまうことが多い。このため、通話を始めて暫くの間は、発信側のユーザは着信側のユーザが電車の中等にいてマナーモード待ち受けしていたことが分からず話しを続けてしまい、その間、車内に同乗している他の乗客に迷惑をかけてしまうという問題がある。
【０００６】
また、特許文献１では、移動端末の発着信を規制する規制装置を別途設けるようにしているが、この規制装置の費用は、その規制装置を設ける施設の管理者が負担しなければならず、コストがかかるという問題がある。また、ある程度緊急性が要求される場合、電車内等でメール着信もままならず、且つ全く使用できないというのは致命的であった。
【０００７】
本発明は係る点に鑑みてなされたものであり、通話が望まれない公共の場所における移動端末での通話を極力制限しつつも、急を要する場合を考慮して必要最小限の情報伝達を可能とする移動端末を提供することを目的とする。
【０００８】
【課題を解決するための手段】
本発明の移動端末は、発信側端末からの着信があっても着信音を鳴らさないマナーモードを設定可能な移動端末であって、前記マナーモードに設定されている状態で前記着信に応答した場合に、前記応答開始時から予め定められた時間を経過した時点で、前記発信側端末との通信を切断する通信制御手段を備える。
【０００９】
この構成によれば、携帯電話やＰＨＳ等の移動端末においてマナーモードの設定が行われている状態で、着信があって、その着信に応答した場合、応答開始時から予め定められた時間を経過した時点で通信を切断する。このため、移動端末での通話が望まれない公共の場において、周囲の人への迷惑を限りなく小さくできると共に、緊急時の連絡を必要最小限の範囲で行うことができる。また、マナーモードに対する意識を高めることができる。
【００１０】
また、本発明の移動端末は、前記時間を示す時間情報を記憶する記憶部を備え、前記通信制御手段は、前記記憶部に記憶されている前記時間情報に基づいて、前記通信を切断する。
【００１１】
また、本発明の移動端末は、前記時間を示す時間情報を任意に設定可能とし、前記通信制御手段は、前記設定された時間情報に基づいて、前記通信を切断する。
【００１２】
また、本発明の移動端末は、前記通信制御手段が前記通信を切断する時点より所定時間前の時点で、前記移動端末のユーザに対して、前記通信を切断する旨の通知を行う通知手段を備える。
【００１３】
この構成によれば、通信を切断する時点より所定時間前の時点で、ユーザに向けて通信を切断する旨の通知を行うので、ユーザは切断の理由を把握でき、通信が突然切断されることによる不快感が軽減する。また、ユーザは、この通知を参照することで、通信が切断されるまでの間に必要な用件を伝え終えることができるので、用件漏れを防止することができる。
【００１４】
本発明の移動端末は、発信側端末からの着信があっても着信音を鳴らさないマナーモードを設定可能な移動端末であって、前記マナーモードに設定されている状態で前記着信に応答すると同時に、前記マナーモード設定状態で着信に応答したことを示す情報を、前記移動端末と前記発信側端末との通信を管理する管理装置に対して送信する情報送信手段を備え、前記情報は、前記管理装置が、前記移動端末と前記発信側端末との通信を前記応答開始時点から予め定められた時間経過後に切断するためのトリガとなるものである。
【００１５】
この構成によれば、マナーモードを設定した状態で着信があり、その着信に応答すると同時に、マナーモード設定状態で着信に応答した旨の情報を管理装置に送るため、管理装置が、その情報をトリガとして、移動端末と発信側端末との通信を予め定められた時間経過後に切断することで、移動端末での通話が望まれない公共の場において、周囲の人への迷惑を限りなく小さくできると共に、緊急時の連絡を必要最小限の範囲で行うことができる。
【００１６】
本発明の管理装置は、移動端末と前記移動端末に対して発信する発信側端末との間の通信を管理する管理装置であって、前記移動端末が前記発信側端末からの着信があっても着信音を鳴らさないマナーモードに設定された状態で前記着信に応答すると同時に、前記移動端末から送信されてくる前記着信に応答したことを示す情報を受信する受信手段と、前記受信手段で前記情報を受信してから、前記情報の送信元の移動端末に対応付けられている前記発信側端末との通信可能な時間が経過した時点で、前記移動端末と前記発信側端末との通信を切断する通信制御手段とを備える。
【００１７】
この構成によれば、移動端末から、マナーモード設定状態で着信に応答したことを示す情報を受信すると、情報を受信してから、その情報の送信元の移動端末に対応付けられている通信可能時間が経過した時点で、移動端末とその通信相手との通信を切断する。このため、携帯電話やＰＨＳ等の移動端末での通話が望まれない公共の場において、周囲の人への迷惑を限りなく小さくできると共に、緊急時の連絡を必要最小限の範囲で行うことができる。
【００１８】
また、本発明の管理装置は、前記通信制御手段が、前記通信を切断する時点より所定時間前の時点で、前記移動端末又は前記発信側端末の少なくとも一方に対して、前記通信を切断する旨の通知を行う情報通知手段を備える。
【００１９】
この構成によれば、管理装置が通信を切断する前に、移動端末又は発信側端末の少なくとも一方にその旨を通知するため、移動端末又は発信側端末の少なくとも一方のユーザは通信切断の理由を把握でき、通信が突然切断されることによる不快感が軽減する。また、通知を受けた端末のユーザは、この通知を参照することで、通信が切断されるまでの間に必要な用件を伝えることができるため、用件漏れを防止することができる。
【００２０】
本発明の管理装置は、移動端末と前記移動端末に対して発信する発信側端末との間の通信を管理する管理装置であって、前記移動端末から、前記発信側端末からの着信があっても着信音を鳴らさないマナーモードが設定された状態であることを示す情報を受信する受信手段と、前記受信手段で受信した情報を記憶する記憶手段と、前記記憶手段で記憶した情報の送信元の移動端末に対する前記発信側端末からの発信を検知する検知手段と、前記検知手段により前記発信を検知してから、前記発信側端末と前記情報の送信元の移動端末との通信が確立されるまでの間に、前記発信側端末のユーザに対して、前記発信先の移動端末が前記マナーモードに設定されている旨の通知を行う。
【００２１】
この構成によれば、マナーモードが設定されている移動端末に対して発信を行う発信側端末のユーザに、移動端末との通信が確立される前に、該移動端末がマナーモードに設定されていることを通知する。このため、この通知により、発信側端末のユーザに移動端末に対する発信の自粛を促すこと等ができ、移動端末使用時のマナー向上が期待できる。
【００２２】
本発明のサービス方法は、請求項１〜５のいずれか記載の移動端末を所有するユーザに対し、前記予め定められた時間に応じたサービスを提供するものである。
【００２３】
この方法によれば、例えば、移動端末が着信に応答した時点から通信が切断されるまでの時間が長い場合は、その着信応答に要する料金を高くしたり、短い場合は料金を安くしたりすることが可能なため、移動端末使用時のマナー向上を期待することができる。
【００２４】
本発明のサービス方法は、請求項６又は７記載の管理装置によって前記通信を管理される移動端末を所有するユーザに対し、前記移動端末に対応付けられた時間に応じたサービスを提供するものである。
【００２５】
この方法によれば、例えば、移動端末が着信に応答した時点から、強制的に通信が切断されるまでの時間が長い場合は通話料金を高くしたり、短い場合は通話料金を安くしたりすることが可能なため、移動端末使用時のマナー向上を期待することができる。
【００２６】
【発明の実施の形態】
以下、本発明の実施の形態について、図面を参照して詳細に説明する。
【００２７】
（第一実施形態）
図１は、本発明の第一実施形態に係る移動体通信システムの概略構成図である。
図１では、基地局１がその管理エリア内に存在する移動端末（携帯電話やＰＨＳ等）２の通信を制御し、また基地局３がその管理エリア内に存在する移動端末（携帯電話やＰＨＳ等）４の通信を制御し、更に中継局５が基地局１と基地局３との間の通信を中継する。この場合、移動端末４を所持しているユーザ６が電車７に乗車しており、同電車７内には他の人８及び９が同乗している。また、ユーザ６は所持している移動端末４をマナーモードに設定している。
【００２８】
マナーモードとは、発信側端末から着信があっても、それを報知するための着信音を鳴らさず、着信音に替わって例えばバイブレータ等を動作させるモードである。基地局１及び３と中継局５は、移動体通信サービスを行う移動体通信システムを構成する。また、中継局５には、移動端末２と移動端末４との通信を管理する管理装置５Ａが設けられている。
【００２９】
図２は、本発明の第一実施形態に係る移動端末４の概略構成を示すブロック図である。なお、移動端末２は移動端末４と同様の構成であるので、移動端末４の構成に代えるものとする。
移動端末４は、アンテナ２０と、送受信部２１と、操作部２２と、表示部２３と、バイブレータ部２４と、音声出力部２５と、記憶部２６と、マイコン２７とを備えて構成される。操作部２２は、移動端末２を操作するための各種キーボタンを備えている。なお、各種キーボタンの中にマナーモード設定ボタンが存在する。
【００３０】
アンテナ２０及び送受信部２１は、基地局１や基地局３との通信を行う。
【００３１】
表示部２３は、図示せぬＬＣＤ（Ｌｉｑｕｉｄ  Ｃｒｙｓｔａｌ  Ｄｉｓｐｌａｙ）等の表示器やＬＥＤ（発光ダイオード）を備えている。この場合、表示器は端末使用に伴う内容の表示（各種電話機能の表示、電話番号の表示等）に使用され、ＬＥＤは着信時の報知に使用される。
【００３２】
バイブレータ部２４は、マナーモードのときに図示せぬモータによって機械的振動を発生して着信を知らせる。音声出力部２５は、図示せぬ発信器、アンプ、及びスピーカを備えており、着信音や操作音等を出力する。
【００３３】
記憶部２６は、マイコン２７を制御するプログラム等を記憶する。マイコン２７は装置各部を制御するものであり、マナーモードを設定するマナーモード設定機能２７Ａ、及び移動端末４のモード設定状態を中継局５の管理装置５Ａにアンテナ２０及び送受信部２１を介して送信する情報送信機能２７Ｂを有する。また、情報送信機能２７Ｂは、移動端末４がマナーモードモードに設定されている状態で、移動端末２からの着信があり、その着信に応答した場合、マナーモード設定時の着信に応答したことを示す情報を、アンテナ２０及び送受信部２１を介して管理装置５Ａに送信する。
【００３４】
図３は、本発明の第一実施形態に係る管理装置５Ａの概略構成を示すブロック図である。
図３において、管理装置５Ａは、アンテナ３０と、送受信部３１と、音声出力部３３と、記憶部３４と、マイコン３５とを備えて構成される。
【００３５】
アンテナ３０及び送受信部３１は、基地局１及び３と情報の送受信を行う。
【００３６】
マイコン３５は装置各部を制御するものであり、マナーモード設定状態で着信に応答（通話を開始する行為を含む）した旨の情報を移動端末より受けた場合に、予め記憶部３４に記憶している通話可能時間をカウントし、この時間が経過した時点で強制的に通信を切断する通信制御機能３５Ａと、通信制御機能３５Ａにより通信を強制的に切断する時点より所定時間前の時点で、発信側の移動端末に対して、通信を切断する旨の通知を行う情報通知機能（３５Ｂ）とを有する。
【００３７】
音声出力部３３は、移動端末に対して各種アナウンスを行うための音声メッセージを出力する。記憶部３４は、マイコン３５を制御するプログラムや上記通話可能時間を示す情報を記憶する。通話可能時間とは、移動端末２及び移動端末４がマナーモード設定状態の着信応答時に応答（通話）可能な時間のことであり、移動体通信システムを構成する移動端末毎にシステムの管理者によって予め設定されているものである。
【００３８】
次に、図１を参照しながら移動端末４がマナーモード設定状態で、移動端末２からの着信があってから、移動端末２との通信が切断されるまでの流れについて説明する。
【００３９】
発信側の移動端末２のユーザ１０が、マナーモード設定しているユーザ６の移動端末４に向けて発信すると、基地局１、中継局５及び基地局３を経由して移動端末４に着信する。移動端末４のマイコン２７は、着信があるとバイブレータ発生部２４を作動させてユーザに対して着信があったことを知らせる。ユーザ６がこのバイブレータによる振動により着信に気付き、操作部２２の通話ボタン（図示略）を押すと、移動端末４から管理装置５Ａに対して、マナーモード設定状態で着信に応答（通話を開始）した旨の情報が送られる。管理装置５Ａは、移動端末４より当該情報を受け取ることでタイマカウントを開始する。
【００４０】
そして、管理装置５Ａは、移動端末２と移動端末４との通話が継続されている状態で、カウントしている時間が記憶部３４に記憶されている通話可能時間に到達する数秒前になると、あと数秒後に通信が切断されることを知らせる音声アナウンス或いは報知音（例えばピーという音）を、基地局１を経由してユーザ１０の移動端末２に送信する。これにより、移動端末２ではスピーカ等から、音声アナウンスが出力される。そして、管理装置５Ａは、通話が開始されてから通話可能時間を経過した時点で、移動端末２と移動端末４との通信を強制的に切断する。
【００４１】
なお、通話可能時間は、例えば必要最小限の情報を伝えられる１５秒程度が適当である。また、通信の切断を事前に知らせるアナウンスは、例えば通信を切断する５秒前が適当である。
【００４２】
このように、本実施形態の移動体通信システムによれば、ユーザ６が電車に乗車中（その他、映画館での映画鑑賞中又は会議中など）で、ユーザ６の所持する移動端末４がマナーモード設定状態で発信側端末からの着信に応答し、ユーザ６の意思により通話を開始した場合でも、通話を開始してから通話可能時間を経過した時点で強制的に通信が切断される。
【００４３】
このため、公共の場において、周囲の人間に対する迷惑を最小限に抑え、かつ電車７に乗車中のユーザ６は、相手ユーザ１０に対して必要最小限の情報を伝達することができる。また、通信を切断する前に発信側のユーザ１０に、数秒後に通信を切断するという旨のアナウンスを行うことにより、ユーザ１０に与える強制切断に対する不信感を軽減することができる。
【００４４】
なお、本実施形態では、移動端末２と移動端末４との通信を切断する旨の通知を、管理装置５Ａから発信側の移動端末２にのみ行ったが、この通知を、着信側の移動端末４のみ、又は発信側の移動端末２と着信側の移動端末４の双方に行うようにしても構わない。このようにすることで、着信側の移動端末４のユーザ６も、数秒後に通信が切断されることが分かるので、伝えたい用件のみに絞って通話を進めることができる。
【００４５】
また、本実施形態では、発信側の移動端末２のユーザ１０は、着信側の移動端末４がマナーモードに設定されているかどうかを知ることはできないが、管理装置５Ａが、発信側の移動端末２のユーザ１０に着信側の移動端末４の状態を通知するようにしても構わない。
【００４６】
この場合は、着信側の移動端末４がマナーモードを設定した際に、マナーモード設定状態である旨の情報を、マイコン２７が管理装置５Ａに送信する。また、管理装置５Ａのマイコン３５が、着信側の移動端末４からマナーモード設定状態である旨の情報を受信すると、その情報を記憶部３４に記憶しておく。そして、マイコン３５が、上記情報の送信元である移動端末４に対する発信を検知した場合には、その発信を行っている移動端末に対して、記憶部３４に記憶した情報を読み出して送信する。
【００４７】
なお、発信を行っている移動端末に対して送信する通知情報は、発信を行っている移動端末と移動端末４との通信が確立する前に行うようにする。また、通知内容としては、例えば「お相手はマナーモード設定中です」といったアナウンスが分かり易くて好適である。
【００４８】
このようにすることで、発信側の移動端末のユーザは、上記通知に基づいて、発信先の移動端末がマナーモード設定中であることを知ることができるため、急用でなければ発信し続けることを自粛し、緊急の用事である場合はそのまま発信を続けることができる。
【００４９】
また、上記通知は、発信側の移動端末と着信側の移動端末との通信が確立される前に行われるため、着信側の移動端末が電車内等に存在する場合に着信してしまうことを未然に防ぐことが可能となる。
【００５０】
（第二実施形態）
本発明の第二実施形態に係る移動体通信システムでは、第一実施形態で説明した管理装置５Ａの通信制御機能３５Ａを、移動端末側に持たせた構成としたものである。このため、システム構成は図１と同様である。また、管理装置５Ａの構成は、図３に示した構成からマイコン３５の通信制御機能３５Ａ及び情報通知機能３５Ｂを削除したものとなる。以下、第一実施形態と異なる移動端末４の構成について説明する。
【００５１】
図４は、本発明の第二実施形態に係る移動端末４の概略構成を示すブロック図である。なお、図２と同様の構成には同一符号を付して説明を省略する。
【００５２】
マイコン４７は装置各部を制御するものであり、マナーモード設定機能２７Ａ及び通信制御機能４７Ｂを有する。通信制御機能４７Ｂは、移動端末４がマナーモード設定状態で、移動端末２からの着信があり、その着信に応答した場合に、その応答開始時点から記憶部４６に記憶されている通話可能時間（例えば１５秒）が経過した後に、移動端末２との通信を切断する機能である。
【００５３】
記憶部４６には、マイコン４７を制御するプログラムや、通話可能時間を示す情報を予め記憶している。なお、この通話可能時間を示す情報は、操作部２２を介して、移動端末４のユーザにより、任意に設定して記憶できるようにしても良い。
【００５４】
音声出力部４５は、マイコン４７の通信制御機能４７Ｂが実現されている場合に、移動端末２との通信が切断されることを事前に移動端末４のユーザに通知するために、移動端末２との通信を切断する時点より数秒前の時点（例えば５秒前）で、あと数秒後に通信が切断されることを知らせる音声アナウンス或いは報知音（例えばピーという音）を出力する。
【００５５】
なお、上記通知は、音声アナウンス或いは報知音としてだけでなく、表示部２３に文字として表示したり、バイブレータ部２４により移動端末４を振動させたりするようにして行っても良い。
【００５６】
次に、移動端末４がマナーモード設定状態で、移動端末２からの着信に応答し、その後移動端末２との通信が切断されるまでの流れについて説明する。なお、移動端末２からの発信が移動端末４に着信するまでの流れは第一実施形態と同様であるため、その説明を省略する。
【００５７】
移動端末４が移動端末２からの着信に応答する（通話を開始する）と、マイコン４７がタイマカウントを開始する。そして、移動端末４は、移動端末２との通話が継続されている状態で、記憶部４６に記憶されている通話可能時間を経過する５秒前になると、あと５秒後に通信が切断されることを知らせる音声アナウンス或いは報知音を音声出力部４５から出力する。そして、着信に応答してから通話可能時間が経過した時点で、移動端末２との通信を強制的に切断する。
【００５８】
このように、本実施形態によれば、ユーザ６が電車に乗車中（その他、映画館での映画鑑賞中又は会議中など）で、ユーザ６の所持する移動端末４がマナーモード設定状態で移動端末２からの着信に応答した場合でも、移動端末４自身が、予め定めた通話可能時間を経過した時点で、移動端末２との通信を強制的に切断する。
【００５９】
このため、公共の場において、周囲の人間に対する迷惑を最小限に抑え、かつ電車７に乗車中のユーザ６は相手ユーザ１０に対して必要最小限の情報を伝達することができる。また、通信を切断する前に、移動端末４のユーザ６に、５秒後に通信を切断するという旨のアナウンスを行うことにより、ユーザ６は伝えたい用件のみに絞って通話を進めることができる。
【００６０】
第一及び第二実施形態では、移動端末２と移動端末４との通信を強制的に切断することで、マナーに対する意識を高めることを可能にしたが、システムの管理者やユーザによって予め定める通話可能時間に基づいて、移動端末のユーザに課金する通話料金を変えたり、ポイントを付加したりするサービスを行うことで、更に一層のマナー意識向上を期待できる。
【００６１】
この場合は、移動体通信システムの管理者が、マナーモード設定状態で着信に応答した場合の通話可能時間と、それに対応する通話料金とを例えば次のように設定する。
通話可能時間０（着信履歴のみ、発信側には音声アナウンス等を流す）：０円
通話可能時間５秒：５円
通話可能時間１０秒：２０円
通話可能時間１５秒：５０円
通話可能時間２０秒：１００円
通話可能時間無限：１００円＋２０秒以降の通話料金１００％増し
【００６２】
このように、マナーモード待ち受け状態で着信に応答した場合の通話料金を、通話可能時間が多くなればなるほど高くすることにより、ユーザにマナーモード設定状態での通話の自粛を促すことができる。
【００６３】
【発明の効果】
本発明によれば、通話が望まれない公共の場所における移動端末での通話を極力制限しつつも、急を要する場合を考慮して必要最小限の情報伝達を可能とする移動端末を提供することができる。
【図面の簡単な説明】
【図１】本発明の第一実施形態に係る移動通信システムの概略構成図である。
【図２】本発明の第一実施形態に係る移動通信システムの移動端末の概略構成を示すブロック図である。
【図３】本発明の第一実施形態に係る移動通信システムの管理装置の概略構成を示すブロック図である。
【図４】本発明の二実施の形態に係る移動通信システムの移動端末の概略構成を示すブロック図である。
【符号の説明】
１、３  基地局
２、４  移動端末
５  中継局
５Ａ  管理装置
７  電車
２０、３０  アンテナ
２１、３１  送受信部
２２  操作部
２３  表示部
２４  バイブレータ発生部
２５、３３、４５  音声出力部
２６、３４、４６  記憶部
２７、３５、４７  マイコン
【図１】
2004221654.tif 000003
【図２】
2004221654.tif 000004
【図３】
2004221654.tif 000005
【図４】
2004221654.tif 000006